(57)【要約】たばこのパケット（２）の硬質なカートン（１）は、第１の容器（３）を有し、この第１の容器（３）は、たばこパケットのグループ（４）を収容し、ついで、第１の容器（３）が第２の容器（５）内に完全に挿入される閉鎖位置と、第１の容器（３）の一部分が第２の容器（５）から引き出される開口位置との間を、第２の容器（５）に対して滑動するように、第２の容器（５）内に収容される。
2005530654.tif 000002
【特許請求の範囲】
【請求項１】
たばこパケットの硬質なカートンであって、当該カートンは、
たばこパケット（２）のグループ（４）用の第１の容器（３）と、
前記第１の容器（３）が、第２の容器（５）に対して、前記第１の容器（３）が前記第２の容器（５）内に完全に挿入される閉鎖位置と前記第１の容器（３）の一部分が前記第２の容器（５）から引き出される開口位置との間を滑動し得るように、前記第１の容器（３）を滑動させて収容する前記第２の容器（５）と、
を備え、
前記第１の容器（３）は、カップ状であり、開口した上端部（１２）と、当該開口した上端部（１２）に対向した底壁（１３）と、対向し平行な２つの側壁（１４）と、対向し平行な、２つの各前方端壁（１５）および後方端壁（１６）とを備え、
前記第１の容器（３）の前記底壁（１３）が、使用者の指を挿入可能な大きさの少なくとも１つの貫通孔を含むことを特徴とするカートン。
【請求項２】
前記第１の容器（３）の前記底壁（１３）は、各たばこパケット（２）用であって、使用者の指を挿入可能なサイズにされるとともに、前記各たばこパケット（２）の底壁に配置された各貫通孔を含む請求項１に記載のカートン。
【請求項３】
前記第２の容器（５）は、実質的に側面（６）により画定される管状の平行六面体形状であり、当該側面は、対向し平行な２つの側壁（７）と、上壁（８）と、当該上壁（８）に平行であってそれに対向した底壁（９）と、を備える請求項１、２または３に記載のカートン。
【請求項４】
前記第２の容器（５）は、端壁（１０）により閉鎖される一方の端部と、開口した端部（１１）とを有する管状の平行六面体形状であって、
前記第１の容器（３）が閉鎖位置にある場合、前記第１の容器（３）の各側壁（１４）は、前記第２の容器（５）の各側壁（７）に平行に面し、
前記第１の容器（３）の底壁（１３）は、前記第２の容器（５）の底壁（９）に平行に面し、
前記第１の容器（３）の前記開口した上端部（１２）は、前記第２の容器（５）の上壁（８）に面し、
前記第１の容器（３）の後方端壁（１６）は、前記第２の容器（５）の端壁（１０）に平行に面し、
前記第１の容器（３）の前記前方端壁（１５）は、前記第２の容器（５）の開口した端部（１１）に面する請求項３に記載のカートン。
【請求項５】
前記第２の容器（５）の端壁（１０）は、使用者の指を挿入可能な大きさにされた少なくとも１つの貫通孔（１７）を有する請求項４に記載のカートン。
【請求項６】
前記第２の容器（５）の端壁（１０）がない請求項４に記載のカートン。
【請求項７】
前記第２の容器（５）の各側壁（７）は、前記開口端部（１１）の近くに凹所（１８）を有する請求項４、５または６に記載のカートン。
【請求項８】
各凹所（１８）は、実質的に半円形である請求項７に記載のカートン。
【請求項９】
前記第２の容器（５）に対する前記第１の容器（３）の滑動を制限して、前記第２の容器（５）から前記第１の容器（３）が外れることを妨げる止め手段（１９、２０）をさらに備える請求項４から８のいずれかに記載のカートン。
【請求項１０】
前記止め手段（１９、２０）は、少なくとも１つの第１の舌片（１９）であって、前記第１の容器（３）の各側壁（１４）から、前記第１の容器（３）より外側へ突出し、前記第１の容器（３）の後方端壁（１６）の近くに配置された前記第１の舌片（１９）と、
第２の舌片（２０）であって、前記第２の容器（５）の各側壁（７）から、前記第２の容器（５）より内側へ突出し、前記第２の容器（５）の開口した端部（１１）の近くに配置される前記第２の舌片（２０）と、
を備え、
前記第１および第２の舌片（１９、２０）は、前記第１の容器（３）が前記第２の容器（５）から滑り出ると、前記第１の舌片（１９）が前記第２の舌片（２０）に係合するような位置に配置される
請求項９に記載のカートン。
【請求項１１】
前記第１の容器（３）の端壁（１５、１６）は、たばこパケット（２）と実質的に同じ大きさであり、前記第１の容器（３）の側壁（１４）は、前記端壁（１５、１６）の近くでは、前記端壁（１５、１６）およびたばこパケット（２）と高さが同じであり、かつ前記端壁（１５）と端壁（１６）との間では、前記端壁（１５、１６）およびたばこパケット（２）よりも高さが低くなるように、高さに変化がつけられている請求項４から１０のいずれかに記載のカートン。
【請求項１２】
前記第１の容器（３）は、平坦な第１のブランク（２１）から形成され、当該第１のブランク（２１）は、
長手方向の２本の折り曲げ線（２２）と、
前記長手方向の２本の折り曲げ線（２２）同士の間に、側壁（１４）を定める第１のパネル（１４’）、前記底壁（１３）に定める第２のパネル（１３’）、および他方の前記側壁（１４）に定める第３のパネル（１４”）を画定するいくつかの横断方向の折り曲げ線（２３）と、
を備え、
前記第１のパネル（１４’）は、２つの第１のタブ（１５’、１６’）を有し、当該第１のタブ（１５、１６）は、前記第１のパネル（１４’）の対向した側に配置され、前記長手方向の２本の折り曲げ線（２２）により前記第１のパネル（１４’）と隔てられ、前記端壁（１５、１６）を画定する請求項４から１１のいずれかに記載のカートン。
【請求項１３】
前記第１のブランク（２１）の前記第２のパネル（１３’）は、２つの第２のタブ（２４）を有し、当該第２のタブ（２４）は、前記第２のパネル（１３’）の対向した側に配置され、前記長手方向の２本の折り曲げ線（２２）により前記第２のパネル（１３’）と隔てられ、前記端壁（１５、１６）の各内側の部分を画定し、
前記第１のブランク（２１）の前記第３のパネル（１４”）は、２つの第３のタブ（２５）を有し、当該第３のタブ（２５）は、前記第３のパネル（１４”）の対向した側に配置され、前記長手方向の２本の折り曲げ線（２２）により前記第３のパネル（１４”）と隔てられ、前記端壁（１５、１６）の各内側の部分を画定し、前記第２のタブ（２４）および第３のタブ（２５）は、前記第１のタブ（１５’、１６’）へ折り曲げたときに重ならないような形状である請求項１２に記載のカートン。
【請求項１４】
前記第２の容器（５）は、平坦な第２のブランク（２６）から形成され、当該第２のブランク（２６）は、
いつくかの横断方向の折り曲げ線（２７）を含み、当該折り曲げ線（２７）は、前記上壁（８）を定める第１のパネル（８’）と、側壁（７）を定める第２のパネル（７’）と、前記底壁（９）を定める第３のパネル（９’）と、他方の前記側壁（７）を定める第４のパネル（７”）と、を画定し、
前記第２のパネル（７’）は、第１のタブ（１０’）を有し、当該第１のタブ（１０’）は、長手方向の折り曲げ線（２８）により前記第１のパネル（７’）から隔てられ、前記端壁（１０）を定める請求項４から１３のいずれかに記載のカートン。
【請求項１５】
前記第２のブランク（２６）の第１のパネル（８’）、第３のパネル（９’）、および第４のパネル（７”）は、３つの各第２のタブ（２９、３０、３１）を有し、当該第２のタブ（２９、３０、３１）は、前記長手方向の折り曲げ線（２８）により対応の前記パネル（８’、９’、７”）と隔てられ、前記端壁（１０）の内側の各部分を定め、前記第１のタブ（１０’）へ折り曲げたときに重ならないような形状である請求項１４に記載のカートン。
【請求項１６】
前記第１の容器（３）内の所定位置に各たばこパケット（２）をしっかりと保持するための支持手段をさらに備える請求項１から１５のいずれかに記載のカートン。
【請求項１７】
前記支持手段は、前記第１の容器（３）内に挿入される少なくとも１つの仕切りを備える請求項１６に記載のカートン。
【請求項１８】
前記支持手段は、前記第１の容器（３）内に挿入され、各たばこパケット（２）を収容するいくつかのポケットを画定するいくつかの仕切りを備える請求項１７に記載のカートン。
【請求項１９】
前記たばこパケット（２）のグループ（４）とともに前記第１の容器（３）を包む透明なプラスチック材料からなる第１の上包み材料をさらに含む請求項１から１８のいずれかに記載のカートン。
【請求項２０】
前記第２の容器（５）を包む第２の上包み材料を含む請求項１から１９のいずれかに記載のカートン。
【請求項２１】
前記第２の上包み材料は、透明なプラスチック材料からなる請求項２０に記載のカートン。
【請求項２２】
各たばこパケット（２）は、２つの端壁および側面を有する平行六面体形状であって、当該側面は、前記端壁により結合されるとともに、２つの広い各前方側壁および後方側壁と、２つの狭い側壁とによって画定され、
前記たばこパケット（２）のグループ（４）は、一列のたばこパケット（２）を含み、当該列において、前記たばこパケット（２）の広い側壁は、相互に接して配置される請求項１から２１のいずれかに記載のカートン。
【請求項２３】
各たばこパケット（２）は、２つの端壁および側面を有する平行六面体形状であり、当該側面は、端壁により結合され、２つの広い各前方側壁および後方側壁と、２つの狭い側壁とによって画定され、
前記たばこパケット（２）のグループ（４）は、横に２列に並べられたたばこパケット（２）を含み、各列において、前記たばこパケット（２）の狭い側壁が、相互に接触して配置される請求項１から２１のいずれかに記載のカートン。
【請求項２４】
前記第１の容器（３）および／または前記第２の容器（５）の長手方向の縁および／または横断方向の縁は、面取りされるかまたは丸くされる請求項１から２３のいずれかに記載のカートン。
【請求項２５】
前記第１の容器（３）および前記第２の容器（５）を定める前記壁（７、８、９、１０、１４、１５）の少なくとも１つは、その縁の１つの近くに少なくとも１つの円弧形部分を有する請求項１から２３のいずれかに記載のカートン。
【請求項２６】
たばこパケットの硬質なカートンであって、たばこパケット（２）のグループ（４）用の第１の容器（３）と、第２の容器（５）であって、前記第１の容器（３）が前記第２の容器（５）内に完全に挿入される閉鎖位置と、前記第１の容器（３）の一部分が前記第２の容器（５）から引き出される開口位置との間を、前記第２の容器（５）に対して、前記第１の容器（３）が滑動し得るように、前記第１の容器（３）を滑動させて収容する前記第２の容器（５）と、を備え、
前記カートン（１）は、前記たばこパケット（２）のグループ（４）とともに前記第１の容器（３）を包む透明プラスチック材料からなる第１の上包み材料を含むことを特徴とするカートン。
【請求項２７】
たばこパケットの硬質なカートンであって、たばこパケット（２）のグループ（４）用の第１の容器（３）と、第２の容器（５）であって、前記第１の容器（３）が前記第２の容器（５）内に完全に挿入される閉鎖位置と、前記第１の容器（３）の一部分が前記第２の容器（５）から引き出される開口位置との間を、前記第２の容器（５）に対して、前記第１の容器（３）が滑動し得るように、前記第１の容器（３）を滑動させて収容する前記第２の容器（５）と、を備え、
カートン（１）が、前記第１の容器（３）内の所定位置に各たばこパケット（２）をしっかり保持するための支持手段を含むことを特徴とするカートン。
【請求項２８】
前記支持手段は、前記第１の容器（３）内に挿入される少なくとも１つの仕切りを備える請求項２７に記載のカートン。
【請求項２９】
前記支持手段は、前記第１の容器（３）内に挿入され、各たばこパケット（２）を収容するためのいくつかのポケットを画定するいくつかの仕切りを含む請求項２８に記載のカートン。
【発明の詳細な説明】
【技術分野】
【０００１】
本発明は、たばこパケットの硬質なカートンに関する。
【背景技術】
【０００２】
たばこパケットの硬質なカートンとは、通常、５または１０個のたばこパケットのグループの周りにブランクを折り曲げることにより作製され、また使用者が予め切り込まれた切り取り線に沿って切り開いてたばこパケットを取り出す上部を有する平行六面体形の容器と定義される。使用者は、通常１日から３日の範囲の間隔をおいて、普通カートンから一度に１つのたばこパケットを取り出し、したがって、そのカートンは、カートン中のたばこパケットの数（一般には５または１０個）と、使用者が通常喫煙するたばこの本数とによって異なるが、一般的な使用者では３日から３０日の間使用される。しかしながら、例えば、予め切り込まれた切り取り線に沿って破くことによって、一度カートンを開けると、比較的長期の使用の場合には通常そうする必要があるように、二度とは閉じられない場合がある。たばこパケットの既知の硬質なカートンでは、パケットの物理的な保護を適切に行うことができない。
【０００３】
国際公開第ＷＯ−００１０８９２−Ａ号パンフレットは、複数のたばこパックを含み、シェルおよびスライド構成を有するカートンを開示している。シェルの一方の端は、部分的に開かれて、使用者が、たばこパックを含めて、ふた付きのスライドを開口位置へ押すことができ、これは、シェルとスライドとをフック係合させ、分離可能な部分よりもスライドのふたを少しだけ多く露出させることと定義される。分離可能な部分は、使用者により、分離されて、一度に、カートンから引き出される１パックのみが露出される。しかしながら、国際公開第ＷＯ−００１０８９２−Ａ号パンフレットが開示しているたばこパケットの硬質なカートンは、比較的複雑であり、したがって製造費用が高い。
【発明の開示】
【発明が解決しようとする課題】
【０００４】
前述の欠点を取り除くように設計され、特に製造が安価で容易である、たばこパケットの硬質なカートンを提供することが、本発明の目的である。
【課題を解決するための手段】
【０００５】
本発明によれば、たばこパケットの硬質なカートンが提供され、このカートンは、たばこパケットのグループ用の第１の容器と、第２の容器であって、第１の容器が、第２の容器に対して、第１の容器が第２の容器内に完全に挿入される閉鎖位置と、第１の容器の一部分が第２の容器から引き出される開口位置との間を滑動し得るように、第１の容器を滑動させて収納する第２の容器とを備え、第１の容器は、カップ状であり、開口した上端部と、開口端部と対向した底壁と、２つの平行な側壁と、２つの平行な前方および後方端壁と、を備え、カートンは、第１の容器の底壁が、使用者の指を挿入し得る大きさの少なくとも１つの貫通孔を備えることを特徴とする。
【発明を実施するための最良の形態】
【０００６】
本発明の非限定的ないくつかの実施形態を添付の図面に関して例として説明する。
【０００７】
たばこパケット２の硬質なカートン全体を、添付の図面に番号１で示し、たばこパケット２のグループ４用の容器３と、容器３を滑動式に収容する容器５であって、容器３が容器５内に完全に挿入される閉鎖位置（図３）と、容器３の一部分が容器５から引き出される開口位置（図１）との間を、容器３が容器５に対して滑動し得る、容器５とを備える。
【０００８】
各たばこパケット２は、２つの端壁と側面とを有する平行六面体形であって、この側面は、端壁により結合され、２つの広い、前方および後方の各側壁と、２つの狭い側壁とにより構成される。図１、図２および図３に示す実施形態では、たばこパケット２のグループ４は、たばこパケット２の一列を含み、その列において、たばこパケット２の広い側壁は、相互に接触して配置されおり、また、図６の実施形態では、たばこパケット２のグループ４は、たばこパケット２の横に並んだ２列を含み、各列において、たばこパケット２の狭い側壁が、相互に接触して配置されている。
【０００９】
図１、図２および図３に示すように、容器５は、側面６により画定される管状の平行六面体形状であり、この側面６は、２つの平行な側壁７と、上壁８と、上壁９に対向し平行な底壁９と、端壁１０により閉鎖される一方の端部と、前記閉鎖位置（図３）と前記開口位置（図１）との間を容器３が滑動する開口部１１を有する反対側の端部と、を備える。
【００１０】
容器３は、カップ形状であって、開口した上端部１２と、開口した上端部１２に対向する底壁１３と、対向し平行である２つの側壁１４と、対向し平行であり、それぞれ前方および後方の、２つの端壁１５および１６とを備える。容器３が、前記閉鎖位置（図３）にある場合、容器３の各側壁１４は、容器５の各側壁７に平行でありそれに面する。容器３の底壁１３は、容器５の底壁９に平行でありそれに面する。容器３の開口した上端部１２は、容器５の上壁８に面する。容器３の後方端壁１６は、容器５の端壁１０に平行でありそれに面する。容器３の前方端壁１５は、容器５の開口部１１に面する。
【００１１】
容器３は、少量のクリアランスを伴ってたばこパケット２のグループ４を収容する大きさにされ、また、容器５は、少量のクリアランスを伴って容器３を収容する大きさにされ、したがって、容器３および５を製造するのに必要な包装材料の量が最小限になり、それと同時に、容器３内のたばこパケット２の動き、よって、容器５内における容器３の動きが最小限になる。たばこパケット２と容器３との間のクリアランスは、使用者がたばこパケット２を容器３から容易に取り出すことができるように、完全になくすことはできず、また、容器３と容器５の間のクリアランスは、使用者が容器５から容器３を容易に引き出すことができるように完全にはなくすことができないことは、明らかである。
【００１２】
容器３の端壁１５および１６は、たばこパケット２と実質的に同じサイズであるが、容器３の側壁１４は、高さに変化がつけられ、端壁１５および１６の近くでは、端壁１５および１６とたばこパケット２と同じ高くなっており、また端壁１５と端壁１６との間では、端壁１５および１６とたばこパケット２とよりも低くなっている。
【００１３】
図１、図２および図３に示す実施形態では、容器５の端壁１０は、使用者の指が挿入できるような形状および大きさにされた孔１７（図３）を有する。例として、図５に示す孔１７は、角が丸くなった長方形であり、サイズが、２０×１５ｍｍと３０×２０ｍｍとの間の範囲である。孔１７の目的は、使用者が、容器３の後方端壁１６を押し得ることによって、閉鎖位置より、容器５から容器３を引き出すことを助けることである。ここに示していない変形では、壁１０が全くない場合もある。
【００１４】
図６の実施形態では、容器５の各側壁７は、開口部１１の近くに凹所１８を有する。さらに詳細には、各凹所１８は、およそ２０ｍｍと３０ｍｍとの間の範囲の直径を有する半円形状である。凹所１８の目的は、使用者が容器３の側壁１４を把持し引き得ることによって、閉鎖位置より、容器５から容器３を引き出すことを助けることである。
【００１５】
カートン１は、好ましくは、容器５に対する容器３の滑動を制限して、容器５から容器３が外れることを妨げる止め手段を備え、この止め手段は、容器３の側壁１４から突出する２つの舌片１９と、容器５の側壁７から突出する２つの舌片２０とにより構成される。各舌片１９は、容器３の各側壁１４から、容器３の外側へ突出し、容器３の後方端壁１６に接近して配置され、各舌片２０は、容器５の各側壁７から容器５の内側に突出し、容器５の開口部１１に接近して配置され、また容器３を容器５から滑動させると、各舌片１９が、対応の舌片２０と係合するように配置され、よって、容器５から容器３が外れることが妨げられる。
【００１６】
ここに示していない別の実施形態では、容器３の底壁１３は、各たばこパケット２用に、使用者の指を挿入し得る大きさの貫通孔を備え、この貫通孔は、容器３からたばこパケット２を引き出すことを助けるように各たばこパケット２の底壁に配置されている。
【００１７】
ここに示していない別の実施形態では、容器３は、容器３内の所定位置に各たばこパケット２をしっかり保持するための支持手段を備え、この支持手段は、容器３内に挿入されるいくつかの仕切りにより構成され、容器３が少なくなっている場合に、各たばこパケット２を所定位置にしっかりと収容し保持するいくつかのポケットを画定する。仕切りは、通常、容器３の側壁１４より高さが低く、容器３の側壁１４および／または底壁１３に結合される。
【００１８】
カートン１は、普通、容器５を包装する、透明なプラスチック材料（図示せず）、通常はポリプロピレンからなる既知の上包み材料を含む。代替実施形態では、容器５を包装することとは対照的に、カートン１は、カートン１の購入前に、使用者が、たばこパケット２のグループ４を吟味することができるように、たばこパケット２のグループ４と一緒に容器３を包装する、透明なプラスチック材料からなる上包み材料を含む。
【００１９】
図４に示すように、容器３は、対応の平坦なブランク２１から形成され、このブランク２１は、実質的に細長い長方形状であり、その構成部品は、容器３の対応する部品について、可能な場合は、上付文字を付けて同じ参照番号を使用して示している。
【００２０】
ブランク２１は、長手方向の２本の折り曲げ線２２と、長手方向の折り曲げ線２２同士の間に定められる横断方向のいくつかの折り曲げ線２３と、側壁１４を画定するパネル１４’と、底壁１３を画定するパネル１３’と、他方の側壁１４を画定するパネル１４”と、を含む。パネル１４’は、２つのタブ１５’および１６’を有し、これらのタブは、パネル１４’の対向した側に配置され、長手方向の２本の折り曲げ線２２によりパネル１４’と隔てられ、端壁１５および１６を画定する。
【００２１】
パネル１３’は、２つのタブ２４を有し、これらのタブは、パネル１３’の対向した側に配置され、長手方向の２本の折り曲げ線２２により、パネル１３’と隔てられ、端壁１５および１６の各内側部分を画定し、パネル１４”は、２つのタブ２５を有し、これらのタブは、パネル１４”の対向した側に配置され、長手方向の２本の折り曲げ線２２によりパネル１４”と隔てられ、端壁１５および１６の各内側部分を画定し、またタブ２４および２５は、タブ１５’および１６’に折り重ねたときに重ならないような形状である。
【００２２】
図５に示すように、容器５は、対応する平坦なブランク２６から形成され、このブランク２６は、実質的に細長い長方形状であり、その構成部品は、容器５の対応の部分について、可能な場合には、同じ参照番号を、上付文字を付けて使用して示している。
【００２３】
ブランクの２６は、いくつかの横断方向の折り曲げ線２７を含み、これらの折り曲げ線は、上壁８を画定するパネル８’と、側壁７を画定するパネル７’と、底壁９を画定するパネル９’と、他方の側壁７を画定するパネル７”とを定める。パネル７’は、長手方向の折り曲げ線２８によりパネル７’と隔てられ端壁１０を画定するタブ１０’を有する。
【００２４】
パネル８’、９’および７”は、３つの各タブ２９、３０および３１を有し、これらのタブは、長手方向の折り曲げ線２８により対応のパネル８’、９’および７”と隔てられ、端壁１０の各内側部分を画定し、タブ１０’へ折り曲げたときに重ならないような形状である。パネル８’はまた、横断方向の折り曲げ線２７によりパネル８’と隔てられ側壁７の内側部分を画定するタブ３２を有する。
【００２５】
ここに示していない代替実施形態では、容器３および／または容器５の、（側壁と上壁との間および側壁と底壁との間の）長手方向の縁および／または（側壁と端壁との間の）横断方向の縁は、面取りするかまたは丸くすることができる。容器３の長手方向の縁は、実質的に、容器３が、容器５に対して滑らかに滑動し得るように、容器５の長手方向の縁と同じ形状およびサイズにしなければならないことは、明らかである。さらに詳細には、容器３の縁は、たばこパケット２の縁と同じ形状を再現するために面取りされるかまたは丸くしてもよい。
【００２６】
ここに示していない別の実施形態では、ちょうどヨーロッパ特許第１０６６２０６号明細書に説明され図示されているように、壁７、８、９、１０、１４、１５の少なくとも１つは、縁の１つの近くに少なくとも１つの円弧状部を有している場合もある。
【図面の簡単な説明】
【００２７】
【図１】開けられた形態の、本発明に係るたばこパケットの硬質なカートンの好ましい実施形態の前方斜視図である。
【図２】図１のカートンの拡大斜視図である。
【図３】閉じた形態の、図１のカートンの後方斜視図である。
【図４】図１のカートンの内側容器を形成するブランクの平面図である。
【図５】図１のカートンの外側容器を形成するブランクの平面図である。
【図６】開いた形態の、本発明に係るたばこパケットの硬質なカートンの代替実施形態の前方斜視図である。
【図１】
2005530654.tif 000003
【図２】
2005530654.tif 000004
【図３】
2005530654.tif 000005
【図６】
2005530654.tif 000006
【図４】
2005530654.tif 000007
【図５】
2005530654.tif 000008
【国際調査報告】
2005530654.tif 000009
2005530654.tif 000010
2005530654.tif 000011
2005530654.tif 000012
2005530654.tif 000013